(57)【特許請求の範囲】
【請求項１】
薄型表示装置につながることで、その薄型表示装置を回動可能に支える支持部を保護するカバー部と、
上記カバー部に対して脱着可能である台座部と、
を含む薄型表示装置用スタンドにあって、
上記カバー部は、そのカバー部の外壁から突き出る突出プレートを含むとともに、上記支持部を固定しながら収容し、
上記台座部は、上記台座部の一面から突出する突出片と、その突出片の先端から延び出して上記台座部の一面に面する延出片とを含む保持体を含み、
上記保持体は、上記延出片と上記一面との間に、上記突出プレートを狭持する隙間を発生させ、
上記延出片にて上記隙間に接する内側面には窪みが形成され、
上記隙間に挟持される上記突出プレートにて上記延出片に面するプレート天面には、上記窪みに嵌る突起端が形成される薄型表示装置用スタンド。
【請求項２】
薄型表示装置につながることで、その薄型表示装置を回動可能に支える支持部を保護するカバー部と、
上記カバー部に対して脱着可能である台座部と、
を含む薄型表示装置用スタンドにあって、
上記カバー部は、そのカバー部の外壁から突き出る突出プレートを含むとともに、上記支持部を固定しながら収容し、
上記台座部は、上記台座部の一面から突出する突出片と、その突出片の先端から延び出して上記台座部の一面に面する延出片とを含む保持体を含み、
上記保持体は、上記延出片と上記一面との間に、上記突出プレートを狭持する隙間を発生させ、
上記一面にて上記延出片の面する箇所には開孔が形成され、
上記突出プレートには、上記開孔に嵌る隆起体が形成され、
上記突出プレートと上記隙間との嵌め合いにより、上記突出プレートが上記保持体に狭持される薄型表示装置用スタンド。
【請求項３】
上記突起端が、先端に向かって先細った形状である請求項１に記載の薄型表示装置用スタンド。
【請求項４】
上記の先細った形状の突起端は、自身の先端の面である突起先端面の面積を、自身の根元の面である突起根元面よりも狭めることで、自身の側面である突起側面を傾斜させている請求項３に記載の薄型表示装置用スタンド。
【請求項５】
上記突起側面が、平面または曲面である請求項４に記載の薄型表示装置用スタンド。
【請求項６】
上記の先細った突起端は、自身の先端面に曲面を含ませている請求項３に記載の薄型表示装置用表示スタンド。
【請求項７】
上記突出プレートが上記隙間に挟持されようとする場合に、隙間に接する上記延出片の外縁にて上記突出プレートに最初に接触する部分が、先細っている請求項１及び請求項３〜６のいずれか１項に記載の薄型表示装置用スタンド。
【請求項８】
上記の先細った延出片の外縁の部分には、平面または曲面が含まれている請求項７に記載の薄型表示装置用スタンド。
【請求項９】
上記突出プレートが上記隙間に挟持されようとする場合に、上記窪みにおける開放面の縁側面にて上記突出端に最初に接触する部分が、延出片の上記内側面に対して鈍角になるように傾斜している請求項１，請求項３〜８のいずれか１項に記載の薄型表示装置用スタンド。
【請求項１０】
上記の傾斜した縁側面の部分には、平面または曲面が含まれている請求項９に記載の薄型表示装置用スタンド。
【請求項１１】
上記保持体は、上記台座部の一面に面する延出片を含んでおり、
上記一面にて上記延出片の面する箇所には開孔が形成され、
上記突出プレートには、上記開孔に嵌る隆起体が形成される請求項１及び請求項３〜１０のいずれか１項に記載の薄型表示装置用スタンド。
【請求項１２】
上記突出プレートが上記隙間に挟持されようとする場合に、上記隆起体における外縁にて上記開孔に最初に接触する部分が、上記隆起体の隆起天面に対して鈍角に傾斜している請求項２又は請求項１１に記載の薄型表示装置用スタンド。
【請求項１３】
上記の隆起体の外縁の部分には、平面または曲面が含まれている請求項１２に記載の薄型表示装置用スタンド。
【請求項１４】
上記突出プレートが上記隙間に挟持されようとする場合に、上記開孔の開放面の縁側面にて上記隆起体に最初に接触する部分が、上記台座部の一面に対して鈍角に傾斜している請求項２及び請求項１１〜１３のいずれか１項に記載の薄型表示装置用スタンド。
【請求項１５】
上記の傾斜した縁側面の部分には、平面または曲面が含まれている請求項１４に記載の薄型表示装置用スタンド。
【請求項１６】
上記突出プレートが上記隙間に挟持されようとする場合に、上記突出プレートの外縁にて上記隙間に最初に接触する部分が、先細っている請求項１〜請求項１５のいずれか１項に記載の薄型表示装置用スタンド。
【請求項１７】
上記の先細った突出プレートの外縁の部分には、平面または曲面が含まれている請求項１６に記載の薄型表示装置用スタンド。
【請求項１８】
請求項１〜１７のいずれか１項に記載の薄型表示装置用スタンドを搭載する薄型表示装置。
【発明の詳細な説明】
【技術分野】
【０００１】
本発明は、液晶表示装置等の薄型表示装置を支えるスタンドに関するものである。
【背景技術】
【０００２】
液晶テレビ等の薄型表示装置には、通常、支えとなるスタンドが取り付けられている。例えば、特許文献１に示されるスタンドは、薄型表示装置に対して締結されるようになっている。
【０００３】
【特許文献１】実用新案登録第３０９２５３９号公報
【発明の開示】
【発明が解決しようとする課題】
【０００４】
通常、このような締結動作は、大変煩わしいため、ユーザ負担にするわけにはいかない。そのため、梱包前に、予め薄型表示装置とスタンドとを組み立てておくことが望ましい。しかしながら、このように組み立ててしまうと、薄型表示装置の梱包サイズが大型化してしまう。そのため、梱包箱のコストアップにつながる。
【０００５】
また、梱包箱が大型化してしまうと、それをコンテナ等に多量に積載できない。そのため、輸送コストまでも増加してしまう。そして、このようなコストアップは、薄型表示装置の値段に反映されるおそれもある。
【０００６】
本発明は、上記の状況を鑑みてなされたものである。そして、本発明の目的は、梱包箱の小型化の実現に要する薄型表示装置用のスタンド等を提供することにある。
【課題を解決するための手段】
【０００７】
本発明は、薄型表示装置につながることで、その薄型表示装置を支える支持部を保護するカバー部と、そのカバー部に対して脱着可能である台座部と、を含む薄型表示装置用スタンドである。そして、かかる薄型表示装置用スタンドでは、カバー部は、そのカバー部の外壁から突き出る突出プレートを含み、台座部は、自身の一面から突出するとともに途中で曲がり上記一面との間に、突出プレートを挟持する隙間を発生させる保持体を含む。
【０００８】
なお、突出プレートが隙間に挟持されようとする場合に、突出プレートの外縁にて隙間に最初に接触する部分が、先細っていると望ましい。特に、その先細った突出プレートの外縁の部分には、平面または曲面が含まれていると望ましい。
【０００９】
また、保持体は、台座部の一面に面する延出片を含んでおり、その延出片に隙間に接する内側面には窪みが形成され、隙間に挟持される突出プレートにて延出片に面するプレート天面には、窪みに嵌る突起端が形成されていると望ましい。
【００１０】
なお、突起端が、先端に向かって先細った形状であると望ましい。例えば、突起端は、自身の先端の面である突起先端面の面積を、自身の根元の面である突起根元面よりも狭めることで、自身の側面である突起側面を傾斜させた先細り形状であってもよい（特に、突起側面が、平面または曲面であると望ましい）。
【００１１】
さらなる別例として、突起端は、自身の先端面に曲面を含ませることで先細っていてもよい。
【００１２】
また、突出プレートが隙間に挟持されようとする場合に、隙間に接する延出片の外縁にて突出プレートに最初に接触する部分が、先細ると望ましい。なお、先細った延出片の外縁の部分には、平面または曲面が含まれているとさらに望ましい。
【００１３】
また、突出プレートが隙間に挟持されようとする場合に、窪みにおける開放面の縁側面にて突出端に最初に接触する部分が、延出片の内側面に対して鈍角になるように傾斜していると望ましい。なお、傾斜した縁側面の部分には、平面または曲面が含まれているとさらに望ましい。
【００１４】
また、保持体は、台座部の一面に面する延出片を含んでおり、その一面にて延出片の面する箇所には開孔が形成され、突出プレートには、開孔に嵌る隆起体が形成されると望ましい。
【００１５】
なお、突出プレートが隙間に挟持されようとする場合に、隆起体における外縁にて開孔に最初に接触する部分が、隆起体の隆起天面に対して鈍角に傾斜していると望ましい（特に、隆起体の外縁の部分には、平面または曲面が含まれていると望ましい）。
【００１６】
また、突出プレートが隙間に挟持されようとする場合に、開孔の開放面の縁側面にて隆起体に最初に接触する部分が、台座部の一面に対して鈍角に傾斜していると望ましい（特に、傾斜した縁側面の部分には、平面または曲面が含まれていると望ましい）。
【００１７】
なお、以上のような薄型表示装置用スタンドを搭載する薄型表示装置も本発明といえる。
【発明の効果】
【００１８】
本発明によれば、スタンドが液晶テレビから脱着可能になっている。そのため、例えば、液晶テレビとスタンドとを分離した状態で、梱包が可能になり、梱包箱のサイズが小型になる。したがって、梱包箱のコストダウンが図れ、さらには、小型になった梱包箱を多量に、トラック等の輸送機のコンテナに積載できるので、輸送コストの削減も図れる。
【発明を実施するための最良の形態】
【００１９】
［実施の形態１］
実施の一形態について、図面に基づいて説明すれば、以下の通りである。なお、便宜上、部材符号、ハッチング等を省略する場合もあるが、かかる場合、他の図面を参照するものとする。また、図面によっては、断面図ではないが、便宜上、ハッチングを施す場合もある。なお、図面上での黒丸は紙面に対し垂直方向を意味する。
【００２０】
図２０の斜視図は、液晶テレビ（薄型表示装置）９０を示す。かかる液晶テレビ９０は、スタンド（薄型表示装置用スタンド）ＳＤによって支えられる。
【００２１】
図１は、かかるスタンドＳＤの分解斜視図である。この図に示すように、スタンドＳＤは、支持部１１、カバー部２１、および台座部６１を含む。
【００２２】
支持部１１は、例えば金属製であり、液晶テレビ９０につながることで、その液晶テレビ９０を支える部材である。具体的には、液晶テレビ９０の底に直接取り付けられる支持体１２と、この支持体１２を回動可能に支える支持体台１３とが、支持部１１に含まれる。
【００２３】
カバー部２１は、支持部１１を保護する部材であり、かかる支持部１１の一部（支持体１２）を露出させる露出開孔２２を有するカバー天面２３、このカバー天面２３を囲む外壁２４、および、外壁２４から突出する突出プレート３１を含む。
【００２４】
台座部６１は、本体６２、窪み部６３（天側窪み部分６３ａ・底側窪み部分６３ｂ）、および保持体７１を含む。本体６２は台座部６１の主たる部材であり、窪み部６３は本体６２における天面（台座天面６２ａ）および底面（台座底面６２ｂ）の両面に形成された窪みである。
【００２５】
ここで、カバー部２１について、図２〜図７を用いて詳説する。図２はカバー天面２３を示す平面図であり、図３は外壁２４を示す平面図である。また、図４は図２に示されるカバー部２１のＡ−Ａ’線矢視断面図であり、図５は図２に示されるカバー部２１を示すＢ−Ｂ’線矢視断面図である。また、図６は図２に示されるカバー部２１を示すＣ−Ｃ’線矢視断面図であり、図７は支持部１１を収容したカバー部２１を示す斜視図である。
【００２６】
なお、外壁２４がカバー天面２３から延び出ている方向を延び方向Ｅとする。また、カバー天面２３の長手の方向を長手方向Ｌ、カバー天面２３の短手の方向を短手方向Ｓとする。
【００２７】
カバー部２１は、図２、図３、図５〜図７に示すように、筒状になった外壁２４と、その外壁２４の縁を塞ぐようなカバー天面２３とを含む。そして、外壁２４およびカバー天面２３にて囲まれる空間ＳＳは、図７に示すように、支持部１１を収容する。そして、カバー天面２３の露出開孔２２から支持部１１の一端である支持体１２が露出する（なお、カバー部２１は、支持部１１を固定しながら収容している）。
【００２８】
また、突出プレート３１は外壁２４から突出する。具体的には、突出プレート３１は、カバー天面２３の短手から延び出る外壁２４の底縁（外壁２４の裾）付近にて、例えば長手方向Ｌに沿うように突出している。また、突出プレート３１の面とカバー天面２３とは平行関係にある（ただし、突出プレート３１の形状は特に限定されるものではない）。
【００２９】
そして、この突出プレート３１を挟持する部材が台座部６１に形成される保持体７１である。そこで、この保持体７１を含む台座部６１について、図８〜図１１を用いて詳説する。図８は台座部６１の本体６２における台座天面６２ａを示す平面図であり、図９は台座天面６２ａの裏側の台座底面６２ｂを示す平面図である。また、図１０は図８に示される台座部６１のＤ−Ｄ’線矢視断面図であり、図１１はカバー部２１が天側窪み部分６３に近づいた状態を示す斜視図である。
【００３０】
図８および図１０に示すように、台座天面６２ａには、天側窪み部分６３ａが形成される。一方で、図９および図１０に示すように、台座底面６２ｂには、天側窪み部分６３ａの裏側に位置する底側窪み部分６３ｂが形成される。そして、これらの天側窪み部分６３ａおよび底側窪み部分６３ｂは、両窪み部分６３ａ・６３ｂにて挟持される本体６２の肉厚部分を板状にする程度まで窪んでいる。
【００３１】
さらに、この窪み部６３には（具体的には、天側窪み部分６３ａから突出するように）、保持体７１が形成される。保持体７１は、台座部６１の一面でもある天側窪み部分６３ａから突出する突出片７２と、その突出片７２の先端から延び出ることで天側窪み部分６３ａとの間に隙間Ｆを生じさせる延出片７３とを含む。
【００３２】
そして、この隙間Ｆは、突出プレート３１の厚みを挟持可能に設定されている。そのため、図１１に示すように、カバー部２１が回転（矢印Ｒ方向参照）することで、隙間Ｆと、突出プレート３１とが嵌り合い可能になる。そのため、台座部６１とカバー部２１とがつながる。
【００３３】
したがって、このようなスタンドＳＤは、液晶テレビ９０の設置する場合に限って、液晶テレビ９０自身に取り付けできる。逆に、液晶テレビ９０が設置される場合以外では、スタンドＳＤが液晶テレビ９０から取り外されてもよい。つまり、このスタンドＳＤは、液晶テレビ９０に対して脱着可能になっている。
【００３４】
そのため、例えば、支持部１１を装着したカバー部２１を取り付けた液晶テレビ９０と、台座部６１とを分離した状態で、梱包が可能になり、梱包箱のサイズが小型になる。すると、小型になった梱包箱のコストダウンが図れる。また、小型になった梱包箱であれば、トラック等の輸送機のコンテナに比較多量に積載できるので、輸送コストの削減も図れる。
【００３５】
また、かかるスタンドＳＤにおけるカバー部２１と台座部６１とは、ネジ等の締結部材を用いることなくつながる。そのため、ユーザ等に負担をかけることなく、液晶テレビ９０にスタンドＳＤが取り付けられる。
【００３６】
なお、台座部６１とカバー部２１との連結を強固にすべく、突出プレート３１には、表側の面３１ａに突起端ＢＧが形成され（図２〜図４、図６参照）、延出片７３にて天側窪み部分６３ａに対向する側の一面（内側面）７４には、突起端ＢＧの嵌る窪みＶＹが形成されていると望ましい（図８〜図１０参照）。また、突出プレート３１には、裏側の面３１ｂに隆起体ＰＥが形成され（図２〜図４、図５参照）、台座部６１の天側窪み部分６３ａにて延出片７３の面する箇所には、隆起体ＰＥの嵌る開孔ＨＬが形成されていると望ましい（図８〜図１０参照）。
【００３７】
このようになっていると、図１１のように矢印Ｒに回転した後、カバー部２１と台座部６１とは、図１２の断面図（図４と図１０の断面図と同方向からみた断面）のように、カバー部２１に含まれる突起端ＢＧが台座部６１に含まれる窪みＶＹに嵌り、カバー部２１に含まれる隆起体ＰＥが台座部６１に含まれる開孔ＨＬに嵌る。そのため、天側窪み部分６３ａ・底側窪み部分６３ｂの面内方向に、カバー部２１が移動しにくくなる（要は、カバー部２１が台座部６１に対して不動になる）。
【００３８】
［その他の実施の形態］
なお、本発明は上記の実施の形態に限定されず、本発明の趣旨を逸脱しない範囲で、種々の変更が可能である。
【００３９】
例えば、突出プレート３１が保持体７１に生じる隙間Ｆに挟持されようとする場合、図１３に示すように、その突出プレート３１の外縁にて隙間Ｆに最初に接触する部分３２が、先細っていると望ましい。このようになっていれば、かかる部分３２の厚みは、隙間Ｆの長さよりも短くなるので、突出プレート３１が隙間Ｆに進入しやすくなるためである。
【００４０】
なお、図１４では、突起プレート３１の天面３１ａおよび底面３１ｂの両方が傾斜することで、突出プレート３１の外縁の部分３２が先細り形状になっているが、これに限定されるものではない。例えば、突起プレート３１の天面３１ａおよび底面３１ｂのいずれか一方が傾くことで、突出プレート３１の外縁の部分３２が先細り形状になっていてもよい。
【００４１】
また、図１５に示すように、突起端ＢＧが、先端に向かって先細った形状になっていると望ましい。このようになっていれば、突起端ＢＧが延出片７３の内側面７４上を滑らかに移動し、容易に窪みＶＹに到達するためである。
【００４２】
なお、このような先細った形状の突起端ＢＧの一例としては、図１４に示されるような、突起端ＢＧの先端の面である突起先端面ＢＧａの面積を、突起端ＢＧの根元の面である突起根元面ＢＧｂよりも狭めることで、突起端ＢＧの側面である突起側面ＢＧｃを傾斜させているものが挙げられる（なお、突起側面ＢＧｃは図１４のような平面に限らず、曲面であってもよい）。
【００４３】
また、図１３および図１４に示すように、隆起体ＰＥにおける外縁にて開孔ＨＬに最初に接触する部分ＰＥ１が、隆起体ＰＥの隆起天面ＰＥａに対して鈍角（δ）に傾斜していると望ましい。このようになっていれば、隆起体ＰＥが天側窪み部分６３ａ上を滑らかに移動し、容易に開孔ＨＬに到達するためである。
【００４４】
ただし、この隆起体ＰＥの外縁の部分ＰＥ１は、図１３および図１４に示すように平面に限定されるものではなく、図１５に示すように曲面であってもよい。また、この図１５に示すように、先細った突出プレート３１の外縁の部分３２は、平面に限らず曲面であってもよいし、先細った突起端ＢＧは、突起先端面ＢＧａに曲面を含ませていてもよい。
【００４５】
また、突出プレート３１が隙間Ｆに挟持されようとする場合、図１６に示すように、隙間Ｆに接する延出片７３（特に延出片７３の内側面７４）の外縁にて突出プレート３１に最初に接触する部分７７が、先細っていると望ましい。このようになっていれば、隙間Ｆの入口が広がり、突出プレート３１が隙間Ｆに進入しやすいためである。
【００４６】
また、図１７に示すように、窪みＶＹにおける開放面ＶＹａの縁側面にて突出端ＢＧに最初に接触する部分ＶＹａａが、延出片７３の内側面７４に対して鈍角（θ）になるように傾斜していると望ましい。このようになっていれば、窪みＶＹの入口である開放面ＹＹａが広がり、突起端ＢＧが窪みＶＹに滑り込みやすくなるためである。
【００４７】
また、図１８に示すように、開孔ＨＬの入口面ＨＬｉの縁側面にて隆起体ＰＥに最初に接触する部分ＨＬｉａが、台座部６１の一面である天側窪み部分６３ａに対して鈍角（Γ）に傾斜していると望ましい。このようになっていれば、開孔ＨＬの入口面ＨＬｉが広がり、隆起体ＰＥが開孔ＨＬに滑り込みやすくなるためである。
【００４８】
なお、傾斜した開孔ＨＬの縁側面の部分ＨＬｉａは、図１８に示すような平面に限定されるものではなく、図１９に示すように、曲面であってもよい。また、図１９に示すように、先細った延出片７３の外縁の部分７７も平面に限定されるものではなく曲面であってもよいし、窪みＶＹの傾斜した縁側面の部分ＶＹａａも平面に限定されるものではなく曲面であってもよい。
【００４９】
ところで、以上では突起端ＢＧとその突起端ＢＧの嵌る窪みＶＹとの組は２組であり、隆起体ＰＥおよびその隆起体ＰＥの嵌る開孔ＨＬとの組も２組であったが、これに限定されるものではない。
【００５０】
すなわち、突起プレート３１における突起端ＢＧの個数と延出片７３における窪みＶＹの個数は特に限定されず、突起端ＢＧと窪みＶＹとの組は１組であっても３組以上であってもよい。また、突起プレート３１における隆起体ＰＥの個数と台座部６１における開孔ＨＬの個数も特に限定されず、隆起体ＰＥと開孔ＨＬとの組は、１組であっても３組以上であってもよい。
【００５１】
また、突出プレート３１における突起端ＢＧの位置および延出片７２における窪みＶＹの位置は特に限定されるものではない。要は、突出プレート３１が隙間Ｆに挟持されようとする場合、突起端ＢＧと窪みＶＹとが嵌り合うようになっていればよい。
【００５２】
同様に、突出プレート３１における隆起体ＰＥの位置および台座部６１における開孔ＨＬの位置は特に限定されるものではない。要は、突出プレート３１が隙間Ｆに挟持されようとする場合、隆起体ＰＥと開孔ＨＬとが嵌り合うようになっていればよい。
【００５３】
最後に、上記で開示された技術を適宜組み合わせて得られる実施形態についても、本発明の技術的範囲に含まれることはいうまでもない。
【図面の簡単な説明】
【００５４】
【図１】は、スタンドの分解斜視図である。
【図２】は、カバー天面からみたカバー部を示す平面図である。
【図３】は、外壁からみたカバー部を示す平面図である。
【図４】は、図２に示されるカバー部のＡ−Ａ’線矢視断面図である。
【図５】は、図２に示されるカバー部のＢ−Ｂ’線矢視断面図である。
【図６】は、図２に示されるカバー部のＣ−Ｃ’線矢視断面図である。
【図７】は、支持部を収容したカバー部を示す斜視図である。
【図８】は、台座天面からみた台座部を示す平面図である。
【図９】は、台座底面からみた台座部を示す平面図である。
【図１０】は、図８に示される台座部のＤ−Ｄ’線矢視断面図である。
【図１１】は、カバー部が天側窪み部分に近づいた状態を示す斜視図である。
【図１２】は、カバー部と台座部とを示す断面図である。
【図１３】は、図４に示すカバー部の他の一例を示す断面図である。
【図１４】は、図４および図１３に示すカバー部の他の一例を示す断面図である。
【図１５】は、図４、図１３、および図１４に示すカバー部の他の一例を示す断面図である。
【図１６】は、図１０に示す台座部の他の一例を示す断面図である。
【図１７】は、図１０および図１６に示す台座部の他の一例を示す断面図である。
【図１８】は、図１０、図１６、および図１７に示す台座部の他の一例を示す断面図である。
【図１９】は、図１０、図１６〜図１８に示す台座部の他の一例を示す断面図である。
【図２０】は、スタンドを装着した液晶テレビの斜視図である。
【符号の説明】
【００５５】
１１      支持台
２１      カバー部
２３      カバー部の天面
２４      カバー部の外壁
３１      突出プレート
３１ａ    突出プレートの天面
３１ｂ    突出プレートの底面
３２      突出プレートの外縁にて隙間に最初に接触する部分
ＢＧ      突起端
ＢＧａ    突起端の突起先端面
ＢＧｂ    突起端の突起根元面
ＢＧｃ    突起端の突起側面
ＰＥ      隆起体
ＰＥａ    隆起体の天面
ＰＥ１    隆起体における外縁にて開孔に最初に接触する部分
６１      台座部
６２      台座部の本体
６２ａ    台座天面
６２ｂ    台座底面
６３      窪み部
６３ａ    天側窪み部分
６３ｂ    底側窪み部分
７１      保持体
７２      突出片
７３      延出片
７４      延出片の内側面
Ｆ      隙間
ＶＹ      窪み
ＶＹａ    窪みの開放面
ＶＹａａ  窪みの開放面の縁側面にて突出端に最初に接触する部分
７７      隙間に接する延出片の外縁にて突出プレートに最初に接触する部分
ＨＬ      開孔
ＨＬａ    開孔の入口面
ＨＬｉａ  開孔の入口面の縁側面にて隆起体に最初に接触する部分
９０      液晶テレビ
【図１】
0004670847.tif 000002
【図２】
0004670847.tif 000003
【図３】
0004670847.tif 000004
【図４】
0004670847.tif 000005
【図５】
0004670847.tif 000006
【図６】
0004670847.tif 000007
【図７】
0004670847.tif 000008
【図８】
0004670847.tif 000009
【図９】
0004670847.tif 000010
【図１０】
0004670847.tif 000011
【図１１】
0004670847.tif 000012
【図１２】
0004670847.tif 000013
【図１３】
0004670847.tif 000014
【図１４】
0004670847.tif 000015
【図１５】
0004670847.tif 000016
【図１６】
0004670847.tif 000017
【図１７】
0004670847.tif 000018
【図１８】
0004670847.tif 000019
【図１９】
0004670847.tif 000020
【図２０】
0004670847.tif 000021